(57)【要約】【課題】鉄筋に対するフープ筋や横鉄筋の正確なピッチ毎の配筋を容易に行なうことができると共に、配筋重量に対しても耐えるようにする。【解決手段】針金やワイヤ、帯鉄の金属製の長尺体Ａ1と、金属杆や鉄片を屈曲して形成したフックＢ1とからなり、上記長尺体の上位端に上記フックを倒立Ｕ字状にして溶接により固着して吊下げフックＸを設け、上記長尺体の上位端部から下位端の配筋ピッチに等しい間隔を存した位置に上記フックをＵ字状にして溶接により固着して鉄筋支持フックＹを設けた構成を採用する。【選択図】図１
2011052521.tif 000002
【特許請求の範囲】
【請求項１】
針金やワイヤ、帯鉄の金属製の長尺体と、金属杆や鉄片を屈曲して形成したフックとからなり、上記長尺体の上位端に上記フックを倒立Ｕ字状にして溶接により固着して吊下げフックを設け、上記長尺体の上位端部から下位端の配筋ピッチに等しい間隔を存した位置に上記フックをＵ字状にして溶接により固着して鉄筋支持フックを設けたことを特徴とする配筋用治具。
【請求項２】
針金やワイヤ、帯鉄の金属製の長尺体と、金属杆や鉄片を屈曲して形成したフックとからなり、上記長尺体の上位端部から下位端の配筋ピッチに等しい間隔を存した位置に上記フックをＵ字状にして溶接により固着して鉄筋支持フックを設けたことを特徴とする配筋用治具。
【請求項３】
帯鉄の長尺体と、この長尺体の上位端から下位端の配筋ピッチに等しい間隔を存した位置に設けた貫通孔と、金属杆や鉄片の曲げ加工により設けるＵ字状のフック部及びこのフック部の背面上端から連なって上記貫通孔に挿入係止するＬ形の係合部により形成したフックとからなり、上記上位端の貫通孔に上記フックを倒立Ｕ字状にして上記係合部を挿入係止して吊下げフックを設け、また残る貫通孔に上記フックをＵ字状にして上記係合部を挿入して鉄筋支持フックとしたことを特徴とする配筋用治具。
【請求項４】
帯鉄の長尺体と、この長尺体の上位端部から下位端の配筋ピッチに等しい間隔を存した位置に設けた貫通孔と、金属杆や鉄片の曲げ加工により設けるＵ字状のフック部及びこのフック部の背面上端から連なって上記貫通孔に挿入係止するＬ形の係合部により形成したフックとからなり、上記の各貫通孔に上記係合部を挿入係止して鉄筋支持フックとしたことを特徴とする配筋用治具。
【請求項５】
帯鉄の長尺体と、この長尺体の両側縁上位端から下位端の配筋ピッチに等しい間隔を存した位置に設けた切欠きと、金属杆や鉄片の曲げ加工により設けるＵ字状のフック部及びこのフック部の背面上端から連なって上記切欠きに嵌り込み係止するように設けた係止爪により形成したフックとからなり、上記上位端の切欠きに上記フックを倒立Ｕ字状にして上記係止爪を係止して吊下げフックとし、残る上記切欠きに上記フックをＵ字状にして上記係合爪を係止して鉄筋支持フックとしたことを特徴とする配筋用治具。
【請求項６】
帯鉄の長尺体と、この長尺体の両側縁上位端部から下位端の配筋ピッチに等しい間隔を存した位置に設けた切欠きと、金属杆や鉄片の曲げ加工により設けるＵ字状のフック部及びこのフック部の背面上端から連なって上記切欠きに嵌り込み係止するように設けた係止
爪により形成したフックとからなり、上記の切欠きに上記フックの係止爪を係止して鉄筋支持フックとしたことを特徴とする配筋用治具。
【請求項７】
帯鉄の長尺体と、この長尺体の上位端から下位端の配筋ピッチに等しい間隔を存した位置に設けた貫通孔と、金属杆や鉄片の曲げ加工により設けるフック部及びフック部の背面上端から後方に突出させた突軸を設けたフックとからなり、上記上位端の貫通孔に上記のフックを倒立Ｕ字状にして上記の突軸を貫通すると共に、前記突軸の貫通端を抜止処理して吊下げフックとし、また残る貫通孔に上記のフックをＵ字状にして上記の突軸を貫通すると共に、前記突軸の貫通端を抜止め処理して鉄筋支持フックとしたことを特徴とする配筋用治具。
【請求項８】
帯鉄の長尺体と、この長尺体の上位端部から下位端の配筋ピッチに等しい間隔の位置に設けた貫通孔と、金属杆や鉄片の曲げ加工により設けるフック部及びフック部の背面上端から後方に突出させた突軸を設けたフックとからなり、上記の貫通孔に上記のフックをＵ字状にして上記突軸を貫通すると共に、前記突軸の貫通端を抜止め処理して鉄筋支持フックとしたことを特徴とする配筋用治具。
【請求項９】
上記長尺体の上端に吊下げ用の掛吊部を設けたことを特徴とする請求項２、４、６又は８のいずれか１項に記載の配筋用治具。
【請求項１０】
針金やワイヤ、帯鉄の金属製の長尺体と、金属杆や鉄片をＬ形に屈曲して設けたフックとからなり、上記長尺体の上位端部から下位端の配筋ピッチに等しい間隔を存した位置に上記フックの水平部の端末を溶接により固着して鉄筋支持フックを設けたことを特徴とする配筋用治具。
【請求項１１】
針金やワイヤ、帯鉄の金属製の長尺体と、金属杆や鉄片をＬ形に屈曲した受部及びこの受部の水平部の末端から連なって下向きに突出する取付部とで構成したフックとからなり、上記長尺体の上位端部から下位端の配筋ピッチに等しい間隔を存した位置に上記フックの取付部を溶接により固着して鉄筋支持フックを設けたことを特徴とする配筋用治具。
【請求項１２】
針金やワイヤ、帯鉄の金属製の長尺体と、鉄片をＬ形に屈曲した受部及びこの受部の水平部の末端から内方にＵ字状に切り欠いて設けた欠除部とで構成したフックとからなり、上記長尺体の上位端部から下位端の配筋ピッチに等しい間隔を存した位置に上記フックの欠除部を嵌め込んで、この嵌合部分を溶接により固着して鉄筋支持フックを設けたことを特徴とする配筋用治具。
【請求項１３】
上記長尺体の上端に吊り下げ用の掛吊部を設けたことを特徴とする請求項１０，１１又は１２のいずれか１項に記載の配筋用治具。
【発明の詳細な説明】
【技術分野】
【０００１】
この発明は、柱や柱形或いは壁などの構造物を築造する際、配筋した縦筋にフープ筋や横鉄筋を設定された寸法毎に（正確に）配筋するために使用する配筋用治具に関する。
【背景技術】
【０００２】
コンクリート構造物の柱を築造する場合、左右に所定の間隔を存して配筋した縦筋（縦鉄筋）の上位端と下位端との間に所定の間隔を存してフープ筋（横鉄筋）を配筋する。
【０００３】
上記のようにフープ筋を配筋する際、上下のフープ筋の配筋が一定の間隔を維持するようにフープ筋幅止め具が使用される（特許文献１）。
【先行技術文献】
【特許文献】
【０００４】
【特許文献１】意匠登録８４４０１９号公報
【発明の概要】
【発明が解決しようとする課題】
【０００５】
ところで、特許文献１のフープ筋幅止め具は、紐材と、この紐材の上位側一端に設けた倒立Ｕ字状の吊下げフックと、紐材の上位端部から下位端迄の間に一定の等間隔を存して配筋したＵ字状のフープ筋の嵌入支持フックとから構成され、上記の紐材、吊下げフック及び支持フックは、合成樹脂により一体に成型された成型製品である。
【０００６】
このような構成によると、合成樹脂成型製品のため高価な金型を使用するので、単価の大幅なコストアップになると共に、支持フックの配列間隔が築造する柱の道径によりピッチが大きく、或いは小さくなるため、ピッチに応じた複数の金型が必要になる問題もあった。
【０００７】
特に、紐材が合成樹脂材製のため、各支持フックにより支持したフープ筋の総重量が大きくなると総重量に耐えることができず、紐材の長さに制約を受ける。
【０００８】
このため、上下に複数本のフープ筋幅止め具を継ぎ足して使用しなければならない問題も発生した。
【０００９】
そこで、この発明は上述の問題を解決した配筋用治具を提供することにある。
【課題を解決するための手段】
【００１０】
上記の課題を解決するために、この発明は針金やワイヤ、帯鉄の金属製の長尺体と、金属杆や鉄片を屈曲して形成したフックとからなり、上記長尺体の上位端に上記フックを倒立Ｕ字状にして溶接により固着して吊下げフックを設け、上記長尺体の上位端部から下位端の配筋ピッチに等しい間隔を存した位置に上記フックをＵ字状にして溶接により固着して鉄筋支持フックを設けた構成を採用する。
【００１１】
また、針金やワイヤ、帯鉄の金属製の長尺体と、金属杆や鉄片を屈曲して形成したフックとからなり、上記長尺体の上位端部から下位端の配筋ピッチに等しい間隔を存した位置に上記フックをＵ字状にして溶接により固着して鉄筋支持フックを設けた構成を採用する。
【００１２】
さらに、帯鉄の長尺体と、この長尺体の上位端から下位端の配筋ピッチに等しい間隔を存した位置に設けた貫通孔と、金属杆や鉄片の曲げ加工により設けるＵ字状のフック部及びこのフック部の背面上端から連なって上記貫通孔に挿入係止するＬ形の係合部により形成したフックとからなり、上記上位端の貫通孔に上記フックを倒立Ｕ字状にして上記係合部を挿入係止して吊下げフックを設け、また残る貫通孔に上記フックをＵ字状にして上記係合部を挿入して鉄筋支持フックとした構成を採用する。
【００１３】
また、帯鉄の長尺体と、この長尺体の上位端部から下位端の配筋ピッチに等しい間隔を存した位置に設けた貫通孔と、金属杆や鉄片の曲げ加工により設けるＵ字状のフック部及びこのフック部の背面上端から連なって上記貫通孔に挿入係止するＬ形の係合部により形成したフックとからなり、上記の各貫通孔に上記係合部を挿入係止して鉄筋支持フックとした構成を採用する。
【００１４】
さらに、帯鉄の長尺体と、この長尺体の両側縁上位端から下位端の配筋ピッチに等しい間隔を存した位置に設けた切欠きと、金属杆や鉄片の曲げ加工により設けるＵ字状のフック部及びこのフック部の背面上端から連なって上記切欠きに嵌り込み係止するように設けた係止爪により形成したフックとからなり、上記上位端の切欠きに上記フックを倒立Ｕ字状にして上記係止爪を係止して吊下げフックとし、残る上記切欠きに上記フックをＵ字状にして上記係合爪を係止して鉄筋支持フックとした構成を採用する。
【００１５】
また、帯鉄の長尺体と、この長尺体の両側縁上位端部から下位端の配筋ピッチに等しい間隔を存した位置に設けた切欠きと、金属杆や鉄片の曲げ加工により設けるＵ字状のフック部及びこのフック部の背面上端から連なって上記切欠きに嵌り込み係止するように設けた係止爪により形成したフックとからなり、上記の切欠きに上記フックの係止爪を係止して鉄筋支持フックとした構成を採用する。
【００１６】
さらに、帯鉄の長尺体と、この長尺体の上位端から下位端の配筋ピッチに等しい間隔を存した位置に設けた貫通孔と、金属杆や鉄片の曲げ加工により設けるフック部及びフック部の背面上端から後方に突出させた突軸を設けたフックとからなり、上記上位端の貫通孔に上記のフックを倒立Ｕ字状にして上記の突軸を貫通すると共に、前記突軸の貫通端を抜止処理して吊下げフックとし、また残る貫通孔に上記のフックをＵ字状にして上記の突軸を貫通すると共に、前記突軸の貫通端を抜止め処理して鉄筋支持フックとした構成を採用する。
【００１７】
また、帯鉄の長尺体と、この長尺体の上位端部から下位端の配筋ピッチに等しい間隔の位置に設けた貫通孔と、金属杆や鉄片の曲げ加工により設けるフック部及びフック部の背面上端から後方に突出させた突軸を設けたフックとからなり、上記の貫通孔に上記のフックをＵ字状にして上記突軸を挿通すると共に、前記突軸の挿通端を抜止め処理して鉄筋支持フックとした構成を採用する。
【００１８】
さらに、長尺体の上端に吊下げ用の掛吊部を設けた構成を採用することもある。
【００１９】
また、針金やワイヤ、帯鉄の金属製の長尺体と、金属杆や鉄片をＬ形に屈曲して設けたフックとからなり、上記長尺体の上位端部から下位端の配筋ピッチに等しい間隔を存した位置に上記フックの水平部の端末を溶接により固着して鉄筋支持フックを設けた構成を採用する。
【００２０】
さらに、針金やワイヤ、帯鉄の金属製の長尺体と、金属杆や鉄片をＬ形に屈曲した受部及びこの受部の水平部の末端から連なって下向きに突出する取付部とで構成したフックとからなり、上記長尺体の上位端部から下位端の配筋ピッチに等しい間隔を存した位置に上記フックの取付部を溶接により固着して鉄筋支持フックを設けた構成を採用する。
【００２１】
また、針金やワイヤ、帯鉄の金属製の長尺体と、鉄片をＬ形に屈曲した受部及びこの受部の水平部の末端から内方にＵ字状に切り欠いて設けた欠除部とで構成したフックとからなり、上記長尺体の上位端部から下位端の配筋ピッチに等しい間隔を存した位置に上記フックの欠除部を嵌め込んで、この嵌合部分を溶接により固着して鉄筋支持フックを設けた構成を採用する。
【００２２】
さらに、上記長尺体の上端に吊り下げ用の掛吊部を設けた構成を採用する。
【発明の効果】
【００２３】
以上のように、この発明の配筋用治具によれば、金属製の長尺体の上位端にフックを溶接により固着して吊下げフックを、長尺体の上位端部から下位端の配筋ピッチに等しい間隔を存した位置にフックを溶接により固着して鉄筋支持フックを設けてあるので、縦鉄筋に結束線を介し支持してある最上位フープ鉄や横鉄筋に吊下げフックを係止して長尺体を垂れ下げ、鉄筋支持フックにフープ筋や横鉄筋を落し込んで支持することができると共に、長尺体及び針金やワイヤ、帯鉄が金属製のため、配筋した鉄筋の総重量が大きくても剪断されることなく安定した状態で支持することができ、かつ長尺体の長さに制約を受けず、合成樹脂による一体成型製品のような各種問題をなくすることができる。
【００２４】
また、長尺体の上位端に吊下げフックを設けない形式の配筋用治具にあっても、長尺体に針金や帯鉄を用いているので、長尺体の上位端をフック上に屈曲し、また屈曲したフックに掛吊金具を係合することで、フープ筋や横鉄筋に引っかけて長尺体を極めて容易に垂れ下げることもできる。
【００２５】
さらに、長尺体に貫通孔を設けて、この貫通孔に吊下げフックや鉄筋支持フックの係合部を挿入して係合関係にする方式や、長尺体の切欠きに吊下げフックや鉄筋支持フックの係止爪を係合関係にする方式や、長尺体の切欠きに吊下げフックや鉄筋支持フックの係止爪を係合関係にする方式を採用しているので、溶接の方式と異なり現場で極めて簡単に組み立てて使用することができる。
【００２６】
また、長尺体の各貫通孔に吊下げフックや鉄筋支持フックの突軸を貫通させて、この突軸の貫通端を抜け止め処理、例えば打撃による変形やかしめ作業で固定（取付け）することができる。
【００２７】
勿論、長尺体の上位端に吊下げフックを設けない形式であっても、長尺体の上位端をフック状に屈曲するなどの掛吊金具の方式にすることで、フープ筋や横鉄筋に引っかけて長尺体を垂れ下げることもできる。
【００２８】
また、長尺体の上位端部から下位端の配筋ピッチに間隔を存した位置にフックの水平部の端末や、フックの取付部を溶接により固着し、長尺体にフックの欠除部を嵌め込んで、嵌め込み部分を溶接により固着して鉄筋支持フックを設けてあるので、垂れ下げた長尺体の各鉄筋支持フックに配筋する鉄筋を落とし込んで支持することができると共に、支持した鉄筋の総重量が大きくても金属製の長尺体の剪断がなく、安定した状態で支持することができ、かつ長尺体の長さに制約を受けることなく鉄筋支持フックを設けることもできる。
【００２９】
さらに、長尺体の上位端に掛吊部を設けてあるので、フープ筋や横鉄筋に掛吊部を引っかけて長尺体を垂れ下げることができる。
【図面の簡単な説明】
【００３０】
【図１】図１は、この発明の第１の実施形態を示す斜視図である。
【図２】図２は、他の実施例を示す斜視図である。
【図３】図３は、同上の側面図である。
【図４】図４は、同上の使用状態を示す斜視図である。
【図５】図５は、同縦断側面図である。
【図６】図６は、他の使用例を示す側面図である。
【図７】図７は、第２の実施形態を示す斜視図である。
【図８】図８は、同上の使用を示す斜視図である。
【図９】図９は、他の使用例を示す斜視図である。
【図１０】図１０は、同上の使用例を示す側面図である。
【図１１】図１１は、第３の実施形態を示す斜視図である。
【図１２】図１２は、同上の使用例を示す側面図である。
【図１３】図１３は、第４の実施形態を示す側面図である。
【図１４】図１４は、第５の実施形態を示す斜視図である。
【図１５】図１５は、同上の使用例を示す側面図である。
【図１６】図１６は、第６の実施形態を示す側面図である。
【図１７】図１７は、第７の実施形態を示す一部切欠側面図である。
【図１８】図１８は、第８の実施形態を示す一部切欠側面図である。
【図１９】図１９は、第９の実施形態を示す斜視図である。
【図２０】図２０は、第９の他の実施形態を示す斜視図である。
【図２１】図２１は、第９の他の実施形態を示す斜視図である。
【図２２】図２２は、第１０の実施形態を示す斜視図である。
【図２３】図２３は、第１１の実施形態を示す斜視図である。
【図２４】図２４は、第１２の実施形態を示す斜視図である。
【発明を実施するための形態】
【００３１】
この発明の第１の実施形態の図１に示すＡ1は、長尺体である。
上記の長尺体Ａ1は、針金やワイヤ（鋼線）、細幅で、長い帯鉄により形成され、多段の配筋フープ筋や横鉄筋の配筋長さで、かつ配筋総重量に耐えるものを使用する。
【００３２】
Ｂ1は、金属杆や鉄片（金属板）を屈曲して形成した金属製のフックである。
上記のフックＢ1は、図１に示すように１本の金属杆を屈曲して倒立Ｕ字状に屈曲した屈曲部１と、この屈曲部１の両側下向き端を上方に反転させて設けたフック部２とで構成したが、限定されず、金属板片をフック状にプレス加工したものであってもよい。
【００３３】
Ｃ1は上記長尺体Ａ1とフックＢ1とを用いて形成した配筋用治具である。
上記の配筋用治具Ｃ1は、長尺体Ａ1の上位端に上記の吊下げフックＸとしてのフックＢ1を倒立Ｕ字状の姿勢にして溶接により固定し、長尺体Ａ1の上位端部から下位端の配筋ピッチに等しい間隔を存した位置に配筋支持フックＹとしての上記のフックＢ1をＵ字状の姿勢にして溶接により固定して設ける。
【００３４】
上記溶接の箇所は、図示の場合、屈曲部１の両側杆間に長尺体Ａ1を介在させて、屈曲部１の両側杆の連結部分を長尺体Ａ1に溶接（溶接部３により）したが、限定されず、例えば図２に示すように、二本の長尺体Ａ1、Ａ1間に一本の杆材を屈曲して設けたフック部２に連なる突出部３を介在して長尺体Ａ1に突出部３を溶接により固定することで、吊下げフックＸ、支持フックＹを設けてもよい。
【００３５】
上記のように構成した配筋用治具Ｃ1は、図４、５に示すように柱や柱形を形成するように配筋した縦鉄筋１１の上位端側にフープ筋１２を結束線１３により止めたのち、この止めたフープ筋１２の所要面（四面や二面の対向面に）に最上位の吊下げフックＸを係止（掛吊）して配筋用治具Ｃ1を垂れ下げる。
【００３６】
次に縦鉄筋１１の外側に所要数嵌装して準備してあるフープ筋１２を上方にスライドさせて配筋支持フックＹにフープ筋１２を押し込み係止する(上述の作業を順次繰り返す）。
【００３７】
なお、長尺体Ａ1の下位端が地面に届かない場合、最下位の配筋支持フックＹに支持させたフープ筋１２に継ぎ足す長尺体Ａ1の吊下げフックＸを係止して使用する。
【００３８】
また、図６に示すように壁用縦鉄筋２１の上端側に壁用横鉄筋２２を結束線を用いて止める。
【００３９】
次に止めた壁用横鉄筋２２に吊下げフックＸを係止（掛吊）して配筋用治具Ｃ1を並列状に複数本垂れ下げる。
【００４０】
その後に配筋用治具Ｃ1の各配筋支持フックＹに壁用横鉄筋２２を落し込み係止させて順次支持する。
【００４１】
この発明の第２の実施形態に示す図７のＣ2は、配筋用治具である。
上記の配筋用治具Ｃ2は、長尺体Ａ1と、この長尺体Ａ1の上位端部から下位端の配筋ピッチに等しい間隔を存した位置に支持用としてのフックＢ1をＵ字状の姿勢にして溶接により固定して形成する（フックＢ1が配筋支持フックＹになる）。
【００４２】
上記の長尺体Ａ1、フックＢ1の構成及び溶接は、第１の実施形態と同様につき詳細な説明を省略する。
【００４３】
上記のように構成した配筋用治具Ｃ2は、止めてあるフープ筋１２や壁用横筋２２に長尺体Ａ1の上位端を止めて、配筋用治具Ｃ2を垂れ下げる。
【００４４】
上記フープ筋や横鉄筋２２に対する配筋用治具Ｃ2の上位端の吊下げ係止は、図８に示すように長尺体Ａ1の上位端を屈曲して設けたフック部１４を使用する以外に、図９に示すように環状部１５に挿入して係止した吊下げフック１６を使用する。
【００４５】
上記のように構成すると、図１０に示すように配筋用治具Ｃ2の配筋支持フックＹに第１の実施形態と同様にフープ筋１２や壁用横鉄筋２２を落し込んで支持させる。
【００４６】
また、配筋用治具Ｃ2の長尺体Ａ1及びフックＢ1は、図２、３に示す構成を使用することもある。
【００４７】
この発明の第３の実施形態に示す図１１、図１２のＡ2は、長尺体である。
Ｂ2はフックである。
【００４８】
上記の長尺体Ａ2は、細幅な帯鉄により形成され、長尺体Ａ2の上位端から下位端の配筋（フープ筋１２や横鉄筋２２の配筋ピッチに等しい間隔）位置には、貫通孔３１が設けてある。
【００４９】
上記のフックＢ2は、一本の金属杆をＵ字状に屈曲して設けたフック部３２と、このフック部３２の片端から後方に突出するＬ字状の挿入係合部３３とで構成されている。
【００５０】
上記のフックＢ2は、倒立Ｕ字の姿勢にして、最上位の貫通孔３１に係合部３３を挿入して係止し、長尺体Ａ2の上位端に吊下げフックＸとし、残る貫通孔３１にＵ字状の姿勢にしたフックＢ2の係合部３３を挿入係止して支持フックＹとする。
【００５１】
上記のように構成した配筋用治具Ｄ1は、第１の実施形態と同様の方法で使用してフープ筋１２や横筋２２（壁用）の配筋支持に用いる。
使用方法は、第１の実施形態と同様につき詳細な説明を省略する。
【００５２】
この発明の第４の実施形態を示す図１３のＡ2は長尺体、Ｂ2はフックである。
上記の長尺体Ａ2は、第３の実施形態と同様に帯鉄が用いられ、長尺体Ａ2の上位端部から下位端までには、第３の実施形態と同様の貫通孔３１が設けてあり、フックＢ2は、第３の実施形態と同様につき構成の詳細な説明を省略する。
【００５３】
上記のように構成した配筋用治具Ｄ2は、帯鉄の長尺体Ａ2の上端を屈曲して設けたフック部１４を第２の実施形態と同様にフープ筋１２に横鉄筋２２に引っかけて垂れ下げ、各支持フックＹに配筋するフープ筋１２や横鉄筋２２を落し込んで支持する。
【００５４】
この発明の第５の実施形態を示す図１４、１５のＡ3は、長尺体である。
上記の長尺体Ａ3には、第３の実施形態と同様に帯鉄が用いられ、長尺体Ａ3の上位端から下位端迄の両側縁には、フープ筋１２や横鉄筋２２の配筋ピッチに等しい間隔を存して切欠き４１が形成されている。
【００５５】
Ｂ3はフックである。
上記のフックＢ3は、金属板片をＵ字状に屈曲（プレス加工により）して形成したフック部４２と、このフック部４２の片端両角から後方に突出して切欠き４１に挿入により嵌り込み係止するへ字状の二又状の係止爪４３とで構成されている。
【００５６】
上記のフックＢ3は、倒立Ｕ字状の姿勢にして最上位端の切欠き４１に係止爪４３を前方から後方に挿入係止して係合関係により吊下げフックＸ’とする。
【００５７】
また、残る切欠き４１にＵ字状の姿勢にしたフックＢ3の係止爪４３を上述と同様に挿入係止して係合関係により支持フックＹとする。
【００５８】
上記のように構成した配筋用治具Ｅ1は、第１の実施形態と同様にフープ筋１２や壁用横鉄筋２２に吊下げフックＸ’を引っかけて垂れ下げ、第１の実施形態と同様に各支持フックＹにフープ筋１２や横鉄筋２２を落し込んで支持する。
【００５９】
この発明の第６の実施形態を示す図１６のＥ2は、フープ筋１２や横鉄筋２２の配筋用治具で、この配筋用治具Ｅ2は、第５の実施形態の吊下げフックＸのない構成を採用し、長尺体Ａ3の上位端にフック部１４を設けて、このフック部１４をフープ筋１２や横鉄筋２２に引っかけて配筋用治具Ｅ2を垂れ下げる。
【００６０】
そして、第１の実施形態と同様に、各支持フックＹにフープ筋１２や横鉄筋２２を落し込んで支持する。
【００６１】
長尺体Ａ3に対するフックＢ3の支持フックＹとしての取付けは、第５の実施形態と（構成も）同様につき詳細な説明を省略する。
【００６２】
この発明の第７の実施形態を示す図１７のＡ4は、長尺体である。
上記の長尺体Ａ4は、細幅な帯鉄により形成され、第３の実施形態と同様の貫通孔３１が設けてある。
【００６３】
Ｂ4はフックである。
上記のフックＢ4は、金属杆をＵ字状に屈曲したフック部５１と、このフック部５１の片端を後方に突出させて、貫通孔３１に挿入する突軸５２とで構成され、長尺体Ａ4の最上位端の貫通孔３１に倒立Ｕ字状の姿勢にしたフックＢ4の突軸５２を挿入して、挿入した突軸５２の突出端を抜止め処理部５３、倒立ばかしめ部を形成することで、吊下げフックＸとなり、残る貫通孔３１にＵ字状の姿勢にしたフックＢ4の突軸５２を挿入して、挿入した突軸５２の突出端を上述と同様に抜止め処理して支持フックＹとする。
【００６４】
すると、第１の実施形態と同様に、吊下げフックＸを係止して垂れ下げた配筋用治具Ｅ1にフープ筋１２や横鉄筋２２を落し込んで支持させる。
【００６５】
この発明の第８の実施形態を示す図１８のＥ2は、配筋用治具である。
上記の配筋用治具Ｅ2は、長尺体Ａ3の最上位端に吊下げフックＸのない構成を採用し、長尺体Ａ3の上端にフック部１４を設けて、このフック部１４をフープ筋１２や横鉄筋２２に引っかけて配筋用治具Ｅ2を垂れ下げて使用する。
【００６６】
長尺体Ａ3に対する支持フックＹとしてのフックＢ4の取付けは、第７の実施形態と同様につき詳細な説明を省略する。
【００６７】
なお、各配筋用治具Ｃ1、Ｃ2、Ｄ1、Ｄ2、Ｅ1、Ｅ2は打設コンクリートに埋め殺し以外に、配筋後回収して使用することもできる。
【００６８】
この発明の第９の実施形態を示す図１９、２０、２１のＡ1は、長尺体である。
上記の長尺体Ａ1は、第１の実施形態と同様につき詳細な説明を省略する。
【００６９】
Ｂ5は、金属杆や鉄片（金属板）を屈曲して形成した金属製のフックである。
上記のフックＢ5は、１本の金属杆を、垂直部７１と、この垂直部７１の下端から連なる水平部７２とをＬ形に屈曲して形成したが、限定されず、金属板片をＬ形に屈曲したものであってもよい。
【００７０】
勿論、上記のフックＢ5の垂直部７１及び水平部７２を二条並行させて設けることもできる。
【００７１】
そして、長尺体Ａ1の上位端部から下位端迄の配筋ピッチに等しい間隔を存した位置に水平部７２の末端を溶接により固着する。
【００７２】
上記の溶接は、長尺体Ａ1と水平部７２の交差する（図１９や２１に示す）部分や、長尺体Ａ1と水平部７２の末端面（図２０に示す）との部分を固着して、配筋支持フックＹとする。
【００７３】
上記のように構成した配筋用治具Ｆは、第１の実施形態に、長尺体Ａ1の上端を屈曲して設けたフック部（図２４に示す）や、長尺体Ａ1の上位端に溶接により固定したフックＢ5やその他の吊り下げフックを第１の実施形態と同様にフープ筋に掛止して長尺体Ａ1を垂れ下げ、その後に各配筋支持フックＹに、フープ筋（図示省略）を押し込んで係止する。
【００７４】
勿論、長尺体Ａ1の垂れ下げは、フープ筋に限定されず、壁用横鉄筋を利用することもできる。
【００７５】
この発明の第１０の実施形態を示す図２２のＡ1は長尺体である。
上記の長尺体Ａ1は、第１の実施形態と同様につき詳細な説明を省略する。
【００７６】
Ｂ6は金属杆や鉄片（金属板）を屈曲して形成したフックである。
上記のフックＢ6は、１本の金属杆を、垂直部８１と、この垂直部８１の下端から連なる水平部８２と、この水平部８２から連なって下向きに突出する取付部８３とで形成したが、限定されず、金属板片を屈曲したものであってもよい。
【００７７】
そして、長尺体Ａ1の上位端から下位端迄の配筋ピッチに等しい間隔を存した位置に取付部８３を溶接により固着して配筋支持フックＹとする。
【００７８】
上記のように構成した配筋用治具Ｇは、第９の実施形態と同様の方法でフープ筋を保持する。
使用方法は、第９の実施形態と同様につき詳細な説明を省略する。
【００７９】
この発明の第１１の実施形態を示す図２３のＡ1は、長尺体である。
上記の長尺体Ａ1は、第１の実施形態と同様につき詳細な説明を省略する。
【００８０】
Ｂ7は鉄片を屈曲して形成したフックである。
上記のフックＢ7は、１枚の金属片を、垂直部９１と、この垂直部９１から連なる水平部９２と、この水平部９２の末端面から内方に長尺体Ａ1が嵌り込むように切り欠いて設けた欠除部９３とで構成されている。
【００８１】
そして、長尺体Ａ1の上位端部から下位端迄の配筋ピッチに等しい間隔を存した位置に欠除部９３を嵌め込んで、嵌め込んだ部分を溶接により固着して配筋支持フックＹとする。
【００８２】
上記のように構成した配筋治具Ｈは、第９の実施形態と同様の方法でフープ筋を保持する。
使用方法は、第９の実施形態と同様につき詳細な説明を省略する。
【００８３】
この発明の第１２の実施形態を示す図２４の配筋用治具Ｆ（その他の実施形態の配筋用治具Ｇ、Ｈにおいても同様に）の長尺体Ａ1の上位端には、吊り下げ用の掛吊部Ｓが設けてある。
【００８４】
上記の掛吊部Ｓは、第２の実施形態と同様に長尺体Ａ1の上位端を倒立Ｕ字状に屈曲して設ける以外に、その他のフックを溶接により固着したり、長尺体Ａ1の上位環状部をフックの環状部に挿通する（図９に示す）方法などで設けてもよい。
【００８５】
すると、フープ筋や横鉄筋に掛吊部Ｓを係止して、配筋用治具Ｆ、Ｇ、Ｈを垂れ下げて使用することができる。
【符号の説明】
【００８６】
Ａ1、Ａ2、Ａ3  長尺体
Ｂ1、Ｂ2、Ｂ3、Ｂ4、Ｂ5、Ｂ6、Ｂ7  フック
Ｘ、Ｘ’    吊下げフック
Ｙ          支持フック
Ｃ1、Ｃ2  配筋用治具
Ｄ1、Ｄ2  配筋用治具
Ｅ1、Ｅ2  配筋用治具
Ｆ、Ｇ、Ｈ  配筋用治具
Ｓ          掛吊部
１          屈曲部
２          フック部
３          突出部
１１        縦鉄筋
１２        フープ筋
１３        結束線
１４        フック部
２１        縦鉄筋
２２        横鉄筋
３１        貫通孔
３２        フック部
３３        係合部
４１        切欠き
４２        フック部
４３        係止爪
５１        フック部
５２        突軸
５３        抜止め処理部
７１        垂直部
７２        水平部
８１        垂直部
８２        水平部
８３        取付部
９１        垂直部
９２        水平部
９３        欠除部
【図１】
2011052521.tif 000003
【図２】
2011052521.tif 000004
【図３】
2011052521.tif 000005
【図４】
2011052521.tif 000006
【図５】
2011052521.tif 000007
【図６】
2011052521.tif 000008
【図７】
2011052521.tif 000009
【図８】
2011052521.tif 000010
【図９】
2011052521.tif 000011
【図１０】
2011052521.tif 000012
【図１１】
2011052521.tif 000013
【図１２】
2011052521.tif 000014
【図１３】
2011052521.tif 000015
【図１４】
2011052521.tif 000016
【図１５】
2011052521.tif 000017
【図１６】
2011052521.tif 000018
【図１７】
2011052521.tif 000019
【図１８】
2011052521.tif 000020
【図１９】
2011052521.tif 000021
【図２０】
2011052521.tif 000022
【図２１】
2011052521.tif 000023
【図２２】
2011052521.tif 000024
【図２３】
2011052521.tif 000025
【図２４】
2011052521.tif 000026